(57)【要約】【課題】携帯機器のアンテナを微弱電波環境下では指向性を絞った高感度受信を可能とし、また、遮蔽物が多い弱電波環境下では指向性を広げた高角度受信を可能として、全体として高い受信感度を確保しつつコンパクト化も可能な携帯機器のアンテナ構造を提供する。【解決手段】表示部１０を設けた表示用筐体１２に、電波受信を行うアンテナ１４を設け、この表示用筐体１２とは別に、画像信号出力用の画像処理装置を内蔵する処理用筐体１６を設けたものにおいて、前記表示用筐体１２には、表示面１０ａ裏面側に外部からの電波信号を受信するアンテナ１４と、このアンテナ１４の受信電波信号に基づき、映像信号を出力する受信装置１８とを設け、このアンテナ１４の電波信号受信の利得および指向性等の受信特性を変化させる受信特性変化手段２０を表示用筐体１２に設けた携帯機器のアンテナ構造である。【選択図】図１
2007208899.tif 000002
【特許請求の範囲】
【請求項１】
表示面が外部から視認できる表示部を設けた表示用筐体に、電波受信を行うアンテナを設け、この表示用筐体とは別に、画像信号出力用の画像処理装置を内蔵する処理用筐体を設けた携帯機器のアンテナ構造において、
前記表示用筐体には、表示面裏面側に外部からの電波信号を受信するアンテナと、このアンテナの受信電波信号に基づき、映像信号を出力する受信装置とを設け、
このアンテナの電波信号受信の利得および指向性等の受信特性を変化させる受信特性変化手段を表示用筐体または処理用筐体に設けたことを特徴とする携帯機器のアンテナ構造。
【請求項２】
アンテナは、可撓性のある板状ベース体にアンテナアレーを配列した構造を有し、
受信特性変化手段は、表示用筐体に、使用者の操作によって上記板状ベース体を撓ませて、受信特性を変化可能な撓み手段を設けたものであることを特徴とする請求項１に記載の携帯機器のアンテナ構造。
【請求項３】
アンテナの板状ベース体は、アンテナアレーを配列固定しかつアンテナアレー用の配線が形成されたフレキシブルプリント板であり、
撓み手段は、フレキシブルプリント板の端部が固定されて表示用筐体に回動可能に軸支された軸部と、使用者の操作によって該軸部を回動させてフレキシブルプリント板を撓ませるための操作部とを設けており、
操作部の操作によってアンテナの受信特性が変化可能であることを特徴とする請求項２に記載の携帯機器のアンテナ構造。
【請求項４】
携帯機器は、表示用筐体と処理用筐体とがヒンジを介して折り畳み可能に連結して構成されており、
表示用筐体が処理用筐体に対して開いた状態で、表示面裏面側に向く処理用筐体の部分に、外部からの電波信号をアンテナに向けて反射する反射器からなる受信特性変化手段を設けたことを特徴とする請求項１に記載の携帯機器のアンテナ構造。
【請求項５】
処理用筐体に表示用筐体を連結するヒンジを挟んで一方側の処理用筐体の表面に使用者が各種処理の入力操作を行うための入力操作部を設け、該ヒンジを挟んで他方側の処理用筐体の表面部に凹状のパラボラ反射面の反射器を設置していることを特徴とする請求項４に記載の携帯機器のアンテナ構造。
【発明の詳細な説明】
【技術分野】
【０００１】
本発明は、内蔵受信アンテナを有する携帯型のパーソナルコンピュータ、端末機器、携帯電話等の携帯機器のアンテナ構造に関する。
【背景技術】
【０００２】
近年、携帯型のパーソナルコンピュータ、端末機器、携帯電話等の内蔵受信アンテナを有する携帯機器は小型化が進み、受信性能が低下する一方で高い通信性能が求められている。
【０００３】
従来、携帯機器の筐体内アンテナは、映像・音声・データなどの信号処理回路から距離を取って配置され、必要な電波受信性能を保ってきた。しかしながら、静止衛星から送信される微弱な放送電波を直接受信する方式の新しい放送メディアは、さらに、安定した受信を求める。
【０００４】
これに対する従来の施策は、内蔵受信アンテナの受信感度不足を補うために、アンテナ素子を大型化することであるが、そのように大型化したとしても、受信状態は１〜２ｄＢｍの改善が限度であり、−９０ｄＢｍ以下の静止衛星からの弱い電波や、屋内で何度も反射した弱い電波を受信することは難しい状況にあった。
【０００５】
また、上記のように微弱な電波を受信するために、電波受信性能の高い大きなアンテナを携帯で持つことは難しい面があり、従来、携帯性を向上させつつ電波受信感度を高くし得る有効な手段は提案されていなかった。また、屋内での反射した弱い電波を効率よく受信できる有効な手段も提案されていなかった。
【０００６】
なお、携帯機器の受信性能を考慮したその他の従来技術として、特開２００２−１７１１９０号公報（特許文献１）には、本体が折り畳み構造の小型携帯電話機が提案されている。この小型携帯電話機は、２つの筐体の内部にそれぞれ平面アンテナを有し、周囲のインピーダンスを測定して良好な受信性能を持つ方の平面アンテナを選択し、受信状態が人体頭部や手による影響を受け難くする。
【０００７】
また、特開２００３−２５８５２０号公報（特許文献２）の記載によれば、携帯型のパーソナルコンピュータ（いわゆるノート型パソコン）のアンテナ実装方法において、パソコン筐体内の凹所に導電テープからなるアンテナを実装して、限られたスペースでの有効なアンテナ実装を行おうとする。
【０００８】
しかしながら、これらの特許文献１および２の技術においては、携帯機器のアンテナ実装のコンパクト化を図ろうとしているが、電波受信感度を充分に高め得るものではないという問題点を残す。
【特許文献１】特開２００２−１７１１９０号公報
【特許文献２】特開２００３−２５８５２０号公報
【発明の開示】
【発明が解決しようとする課題】
【０００９】
本発明は、上記の問題を解消するためのものであって、携帯機器のアンテナを微弱電波環境下では指向性を絞った高感度受信を可能とし、また、遮蔽物が多い弱電波環境下では指向性を広げた高角度受信を可能として、全体として高い受信感度を確保しつつコンパクト化も可能な携帯機器のアンテナ構造を提供しようとするものである。
【課題を解決するための手段】
【００１０】
本発明は携帯機器のアンテナ構造に係るものである。
【００１１】
本発明は、表示面が外部から視認できる表示部を設けた表示用筐体に、電波受信を行うアンテナを設け、この表示用筐体とは別に、画像信号出力用の画像処理装置を内蔵する処理用筐体を設けた携帯機器のアンテナ構造において、前記表示用筐体には、表示面裏面側に外部からの電波信号を受信するアンテナと、このアンテナの受信電波信号に基づき、映像信号を出力する受信装置とを設け、このアンテナの電波信号受信の利得および指向性等の受信特性を変化させる受信特性変化手段を表示用筐体または処理用筐体に設けたことを特徴とする携帯機器のアンテナ構造である。
【００１２】
本発明においては、アンテナは、可撓性のある板状ベース体にアンテナアレーを配列した構造を有し、受信特性変化手段は、表示用筐体に、使用者の操作によって上記板状ベース体を撓ませて、受信特性を変化可能な撓み手段を設けたものであることが好適である。
【００１３】
本発明においては、アンテナの板状ベース体は、アンテナアレーを配列固定しかつアンテナアレー用の配線が形成されたフレキシブルプリント板であり、撓み手段は、フレキシブルプリント板の端部が固定されて表示用筐体に回動可能に軸支された軸部と、使用者の操作によって該軸部を回動させてフレキシブルプリント板を撓ませるための操作部とを設けており、操作部の操作によってアンテナの受信特性が変化可能であることが好適である。
【００１４】
本発明においては、携帯機器は、表示用筐体と処理用筐体とがヒンジを介して折り畳み可能に連結して構成されており、表示用筐体と処理用筐体とが開いた状態で、表示面裏面側に向く処理用筐体の部分に、外部からの電波信号をアンテナに向けて反射する反射器からなる受信特性変化手段を設けたことが好適である。
【００１５】
本発明においては、処理用筐体に表示用筐体を連結するヒンジを挟んで一方側の処理用筐体の表面に使用者が各種処理の入力操作を行うための入力操作部を設け、該ヒンジを挟んで他方側の処理用筐体の表面部に凹状のパラボラ反射面の反射器を設置していることが好適である。
【発明の効果】
【００１６】
本発明に係る携帯機器のアンテナ構造によれば、次のような優れた作用・効果を奏し得る。
【００１７】
本発明によれば、携帯機器のアンテナ構造において、表示用筐体には、表示面裏面側に外部からの電波信号を受信するアンテナと、このアンテナの受信電波信号に基づき、映像信号を出力する受信装置とを設け、このアンテナの電波信号受信の利得および指向性等の受信特性を変化させる受信特性変化手段を表示用筐体または処理用筐体に設けたので、この受信特性変化手段によって、携帯機器のアンテナを微弱電波環境下では指向性を絞った高感度受信を可能とし、また、遮蔽物が多い弱電波環境下では広い受信範囲の広角度受信を可能として、全体として高い受信感度を確保しつつコンパクト化も可能な携帯機器のアンテナ構造を提供できるという作用・効果を奏する。
【００１８】
本発明において、次の各構成とすれば、上記の各効果に加えてそれぞれの作用・効果を奏する。
【００１９】
本発明において、アンテナが、可撓性のある板状ベース体にアンテナアレーを配列した構造を有し、受信特性変化手段が、表示用筐体に、使用者の操作によって上記板状ベース体を撓ませて、受信特性を変化可能な撓み手段を設けたものにすれば、アンテナアレーの配列構造の設定によって所望する受信特性を得やすく、かつ、可撓性のある板状ベース体の曲げによって受信特性を調整する自由度が高い。
【００２０】
また、本発明において、前記アンテナの板状ベース体は、アンテナアレーを配列固定しかつアンテナアレーの配線が形成されたフレキシブルプリント板とすれば、このフレキシブルプリント板によってアンテナアレーの配線をして一体化ができ、アンテナアレーとフレキシブルプリント板とをユニット化することができ、取り付けや取り扱いが容易になり、ユニット化していないときに比較して作業負荷が軽減する。
【００２１】
また、前記撓み手段は、フレキシブルプリント板の端部が固定されて表示用筐体に回動可能に軸支された軸部と、使用者の操作によって該軸部を回動させてフレキシブルプリント板を撓ませるための操作部とを設けて、操作部の操作によってアンテナの受信特性が変化するものとすれば、単純な構成の軸部と操作部で撓み手段によって、受信特性変化手段を構成でき、故障が少なく、かつ工作がし易い。
【００２２】
本発明において、携帯機器は、表示用筐体と処理用筐体とがヒンジを介して折り畳み可能に連結して構成されており、表示用筐体と処理用筐体とが開いた状態で、表示面裏面側に向く処理用筐体の部分に、外部からの電波信号をアンテナに向けて反射する反射器からなる受信特性変化手段を設けたので、ヒンジを介して表示用筐体と処理用筐体との開き角度を調整することによって、反射器とアンテナとの距離および角度を調整して、アンテナへの受信電波を最良することが容易にできる。
【００２３】
本発明において、処理用筐体に表示用筐体を連結するヒンジを挟んで一方側の処理用筐体の表面に使用者が各種処理の入力操作を行うための入力操作部を設け、該ヒンジを挟んで他方側の処理用筐体の表面部に凹状のパラボラ反射面の反射器を設置しているものであれば、使用者から見て反射器は表示用筐体で隠されるので、入力操作に反射器が邪魔にならず、かつ、反射器が使用者の視界に入りにくくなり、使用者は入力操作に集中できる。
【発明を実施するための最良の形態】
【００２４】
以下、図面を参照して本発明に係る実施する最良の形態として実施形態を説明する。
【００２５】
図１〜図４は、本発明に係る携帯機器のアンテナ構造の実施形態１の説明図である。
【００２６】
図１は、実施形態１に係る携帯機器の外観説明図であって、（ａ）は側面図、（ｂ）は正面図（表示用筐体１２を開いたときの表示部１０表示面１０ａ側視図）、（ｃ）は背面図（表示用筐体１２を開いたときの表示部１０裏面側視図）である。
【００２７】
図２は、前記携帯機器の表示用筐体１２に設ける受信装置１８の受信回路の説明ブロック図である。
【００２８】
図３は、表示用筐体１２に設けたアンテナ１４を凹状に変形させて狭角度指向性（指向特性）にした説明図であって、（ａ）は表示用筐体１２のヒンジ２２方向に沿う断面視説明図、（ｂ）は電波受信の指向特性の説明図である。
【００２９】
図４は、表示用筐体１２に設けたアンテナ１４を凸状に変形させて広角度指向性にした説明図であって、（ａ）は表示用筐体１２のヒンジ２２方向に沿う断面視説明図、（ｂ）は電波受信の指向特性の説明図である。
【００３０】
図５〜図７は、本発明に係る携帯機器のアンテナ構造の実施形態２の説明図である。
【００３１】
図５は、実施形態２に係る携帯機器の外観説明図であって、（ａ）は側面図、（ｂ）は正面図（表示用筐体１２を開いたときの表示部１０表示面１０ａ側視図）、（ｃ）は背面図（表示用筐体１２を開いたときの表示部１０裏面側視図）である。
【００３２】
図６は、前記携帯機器の表示用筐体１２に設ける受信装置１８の受信回路の説明ブロック図である。
【００３３】
図７は、処理用筐体１６に設けた反射器によるアンテナ１４の角度指向性（指向特性）についての説明図である。
【００３４】
図８は、本発明に係る携帯機器に使用できる受信装置１８の受信回路の他の各例の説明図である。
【００３５】
図１〜図４に示すように、実施形態１に係る携帯機器のアンテナ１４構造は、表示面１０ａが外部から視認できる表示部１０を設けた表示用筐体１２に、電波受信を行うアンテナ１４を設け、この表示用筐体１２とは別に、画像信号出力用の画像処理装置（図示省略）を内蔵する処理用筐体１６を設けたものにおいて、前記表示用筐体１２には、表示面１０ａ裏面側に外部からの電波信号を受信するアンテナ１４と、このアンテナ１４の受信電波信号に基づき、映像信号を出力する受信装置１８とを設け、このアンテナ１４の電波信号受信の利得および指向性等の受信特性を変化させる受信特性変化手段２０を表示用筐体１２（または処理用筐体１６）に設けた携帯機器のアンテナ１４構造である。
【００３６】
この携帯機器は、表示用筐体１２と処理用筐体１６（「携帯機器本体」ともいう）とがそのヒンジ２２を介して折り畳み可能に連結して構成されている。
【００３７】
表示用筐体１２と処理用筐体１６とは、それぞれ平面視で矩形の薄箱型形状を呈し、ヒンジ２２はその矩形の長辺側同士を繋ぐ構造になっている。処理用筐体１６に表示用筐体１２を連結するヒンジ２２を挟んで、一方側の処理用筐体１６の表面（上面）に使用者が各種処理の入力操作を行うための入力操作部２４を設け、他方側の表示用筐体１２の手前側面が表示面１０ａになっている。
【００３８】
表示部１０は、実施形態では、表示面１０ａから見て横長矩形の液晶表示装置（Liquid Crystal Display）からなるものである。つまり、表示用筐体１２は横長矩形形状を呈し、液晶表示装置からなる表示部１０も横長矩形形状を呈している。表示部１０の表示面１０ａを使用者が見るために、表示用筐体１２は、処理用筐体１６から開きほぼ垂直に立ち上げ状態になって、使用時には液晶表示装置の表示面１０ａが使用者側に対向するものである。
【００３９】
アンテナ１４は、可撓性のある板状ベース体２６にアンテナアレー２８を配列した構造を有する。
【００４０】
受信特性変化手段２０は、表示用筐体１２に、使用者の操作によって上記板状ベース体２６を撓ませて、受信特性を変化可能な撓み手段３０を設けたものである。
【００４１】
また、前記アンテナの板状ベース体２６は、アンテナアレー２８を配列固定しかつアンテナアレー２８用の配線が形成されたフレキシブルプリント板である。この板状ベース体２６は、実施形態では、上記表示部１０とほぼ同形状で同じ大きさとした絶縁性かつ弾性のある樹脂製の板材にプリント配線が形成されているフレキシブルプリント板である。
【００４２】
上記表示用筐体１２内に、アンテナ１４と受信回路と、受信特性変化手段２０の撓み手段３０を設けている。
【００４３】
前記撓み手段３０は、フレキシブルプリント板の端部が固定されて表示用筐体１２に回動可能に軸支された軸部３２と、使用者の操作によって該軸部３２を回動させてフレキシブルプリント板を撓ませるための操作部３４とを設けており、操作部３４の操作によってアンテナ１４の受信特性が変化可能である。
【００４４】
軸部３２は、図３、図４に示すように、概略棒形状を呈した対のものが、表示用筐体１２内の横方向両端部に表示面１０ａに沿いかつヒンジ２２の直角方向に向けて回動可能に配設されており、その対の軸部３２の軸周面（表示面１０ａ裏面側方向端部）に上記フレキシブルプリント板の横方向両端部が固定される。
【００４５】
この軸部３２を使用者が動かすための操作部３４は、具体的には、軸に固定または軸部３２を回動可能に連結されたローラであって、表示用筐体１２の左右側端部に開口した窓を通して、このローラが露出し、使用者が容易にそのローラを回すことによって軸部３２を介して、フレキシブルプリント板を凹状または凸状に撓ませることによって、各アンテナアレー２８の向きを変化させ、アンテナ１４の指向性を変化させるようになっている。
【００４６】
実施形態１の携帯機器において、アンテナ１４から受信装置１８の電気的構成は、図２に示すように、電波信号を受信する複数のアンテナアレー２８と、これらのアンテナアレー２８によって受信された信号を低ノイズで増幅する低ノイズ増幅器（ＬＮＡ）３６と、増幅信号の不要な周波数成分を除去する（フィルタリング処理する）フィルタ３８と、フィルタリング処理された信号に発振器の周波数を混合するミキサー４０と、映像信号を復調する復調器４２とを有している。この復調器４２から映像信号およびそれに付随する音声信号、テキスト信号などの信号が出力される。
【００４７】
これらの出力された映像信号および音声信号等は、処理用筐体１６内の画像処理装置、および音声信号処理装置に入力され、またはハードディスクやＤＶＤ等の記憶媒体に記憶（格納）される。画像処理後の画像信号が表示部１０に出力されて表示され、また、音声信号がスピーカユニット（図示省略）等に出力されて音声が報知等される。
【００４８】
ここで、図３は、（ａ）に示すように、発明者が表示用筐体１２内の板状ベース体２６が凹状にして、（ｂ）に示すように、アンテナ１４を狭角度指向性にした状態の代表的な指向特性を示す。図３（ｂ）に示すように、表示面１０ａの裏面側が狭い受信範囲（ほぼ４５°〜３１５°）最も受信感度が高く、微弱電波でも感度良く受信できることが分かる。また、表示用筐体１２の表示面１０ａ前面側では広い受信範囲（ほぼ１０５°〜２５５°）でほとんど電波を受信していない受信指向性を有していた。
【００４９】
図４は、（ａ）に示すように、発明者が表示用筐体１２内の板状ベース体２６が凸状にして、（ｂ）に示すように、アンテナ１４を広角度指向性にした状態の代表的な指向特性を示す。図４に示すように、表示面１０ａの側部から裏面側が広い受信範囲（ほぼ１０５°〜２５５°）で受信感度が高く、広い範囲で弱電波でも感度良く受信できることが分かる。また、表示用筐体１２の表示面１０ａ前面側では狭い受信範囲（ほぼ１０５°〜２５５°）でほとんど電波を受信していない受信指向性を有していた。
【００５０】
実施形態１においては、携帯機器の表示部１０の裏面に、アンテナ１４、低ノイズ増幅器（ＬＮＡ）３６、フィルタ３８、ミキサー４０、復調器４２が配置され電波受信を行うが、携帯機で静止衛星からの弱い電波を受信する場合には、広い受信範囲の指向特性と微弱電波でも受信できる感度の両方が必要である。
【００５１】
このため、アンテナ１４をアレー化して（複数のアンテナアレー２８によって構成）アンテナ１４利得を高めさらに、アンテナアレー２８をフレキシブルプリント基板に実装し、このフレキシブルプリント基板からなる板状ベース体２６を曲面に変化させるローラからなる操作部３４によって操作できるようにして、複数のアンテナアレー２８を有するアンテナ１４の総合アンテナ利得と指向特性を簡易に変化できる。
【００５２】
このことにより、携帯機器の使用する周辺環境に合わせ、微弱電波環境には指向性を絞った高感度受信（図３参照）、遮蔽物が多い弱電波環境には指向性を広げた広角度受信（図４参照）が実現できる。
【００５３】
したがって、実施形態１では、受信特性変化手段２０によって、携帯機器のアンテナ１４を微弱電波環境下では指向性を絞った高感度受信を可能とし、また、遮蔽物が多い弱電波環境下では広い受信範囲の広角度受信を可能として、全体として高い受信感度を確保しつつコンパクト化も可能な携帯機器のアンテナ１４構造を提供できる。
【００５４】
また、アンテナ１４が、可撓性のある板状ベース体２６にアンテナアレー２８を配列した構造を有し、受信特性変化手段２０が、表示用筐体１２に、使用者の操作によって上記板状ベース体２６を撓ませて、受信特性を変化可能な撓み手段３０を設けたものにすれば、アンテナアレー２８の配列構造の設定によって所望する受信特性を得やすく、かつ、可撓性のある板状ベース体２６の曲げによって受信特性を調整する自由度が高い。
【００５５】
また、前記アンテナ１４の板状ベース体２６は、アンテナアレー２８を配列固定しかつアンテナアレー２８の配線が形成されたフレキシブルプリント板とすれば、このフレキシブルプリント板によってアンテナアレー２８の配線をして一体化ができ、アンテナアレー２８とフレキシブルプリント板とをユニット化することができ、取り付けや取り扱いが容易になり、ユニット化していないときに比較して作業負荷が軽減する。
【００５６】
また、前記撓み手段３０は、フレキシブルプリント板の端部が固定されて表示用筐体１２に回動可能に軸支された軸部３２と、使用者の操作によって該軸部３２を回動させてフレキシブルプリント板を撓ませるための操作部３４とを設けて、操作部３４の操作によってアンテナ１４の受信特性が変化するものとすれば、単純な構成の軸部３２と操作部３４で撓み手段３０によって、受信特性変化手段２０を構成でき、故障が少なく、かつ工作がし易い。
【００５７】
次に、図５〜図７によって、本発明に係る携帯機器のアンテナ１４構造の実施形態２を説明する。この実施形態２の携帯機器のアンテナ１４構造は、上記実施形態１と同様部分に同一の符号を付している。
【００５８】
実施形態２では、携帯機器は、表示用筐体１２と処理用筐体１６とがヒンジ２２を介して折り畳み可能に連結して構成されており、表示用筐体１２が処理用筐体１６に対して開いた状態で、表示面１０ａ裏面側に向く処理用筐体１６の部分に、外部からの電波信号をアンテナ１４に向けて反射する反射器からなる受信特性変化手段２０を設けたものである。
【００５９】
処理用筐体１６に表示用筐体１２を連結するヒンジ２２を挟んで一方側の処理用筐体１６の表面に使用者が各種処理の入力操作を行うための入力操作部２４を設け、該ヒンジ２２を挟んで他方側の処理用筐体１６の表面部に凹状のパラボラ反射面の反射器４４を設置している。
【００６０】
実施形態２の携帯機器においては、アンテナ１４から受信装置１８の電気的構成は実施形態１と同様であるが、アンテナ１４がアレー型ではない単一のものを利用している。その他、もちろんアンテナアレーを複数配列してもよい。
【００６１】
また、処理用筐体（携帯機器本体）１６にパラボラ型の電波反射面の反射器４４を設けている。
【００６２】
実施形態２の携帯機器では、実施形態１の携帯機器と同様に液晶表示装置からなる表示部１０の裏面に、アンテナ１４、低ノイズ増幅器（ＬＮＡ）３６、フィルタ３８、ミキサー４０、復調器４２が配置され電波受信を行うが、携帯機で通信衛星等の静止衛星からの弱い電波を受信するために、広い受信範囲の指向特性と微弱電波でも受信できる感度が必要である。
【００６３】
このため、携帯機本体に反射器４４の電波反射面を設けて、この反射器４４によるパラボラ反射によって、静止衛星からの微弱電波をアンテナ１４に集めて、アンテナ１４の利得を高めることができる。さらに遮蔽物が少なく、受信状況に良い携帯機の表示部１０の表示面１０ａの裏側にアンテナ１４を配置したことで、アンテナ１４性能が十分引き出せる事により、高感度受信と広角度受信が両立できる。
【００６４】
したがって、携帯機器の使用される周辺環境によって、微弱電波環境では指向性を絞った高感度受信ができ、また、遮蔽物が多い弱電波環境では指向性を広げた広角度受信が実現できることにより、高い通信性能が得られる。
【００６５】
上述の実施形態１および実施形態２では、最適な例として説明したが、本発明はこれに限定されず発明の範囲内で種々に変形実施できる。
【００６６】
上記実施形態１では、図２にアンテナ１４および受信装置１８を示したが、図８に示す変形例のように、各アンテナ１４またはアンテナアレー２８毎にフィルタ３８、ミキサー４０、および復調器４２を設けて映像信号を出力する構成としてもよい。
【図面の簡単な説明】
【００６７】
【図１】本発明に係る携帯機器のアンテナ構造の実施形態１に係る携帯機器の外観説明図であって、（ａ）は側面図、（ｂ）は正面図（表示用筐体を開いたときの表示部表示面側視図）、（ｃ）は背面図（表示用筐体を開いたときの表示部裏面側視図）である。
【図２】前記携帯機器の表示用筐体に設ける受信装置の受信回路の説明ブロック図である。
【図３】表示用筐体に設けたアンテナを凹状に変形させて狭角度指向性（指向特性）にした説明図であって、（ａ）は表示用筐体のヒンジ方向に沿う断面視説明図、（ｂ）は電波受信の指向特性の説明図である。
【図４】表示用筐体に設けたアンテナを凸状に変形させて広角度指向性にした説明図であって、（ａ）は表示用筐体のヒンジ方向に沿う断面視説明図、（ｂ）は電波受信の指向特性の説明図である。
【図５】本発明に係る携帯機器のアンテナ構造の実施形態２に係る携帯機器の外観説明図であって、（ａ）は側面図、（ｂ）は正面図（表示用筐体を開いたときの表示部表示面側視図）、（ｃ）は背面図（表示用筐体を開いたときの表示部裏面側視図）である。
【図６】前記携帯機器の表示用筐体に設ける受信装置の受信回路の説明ブロック図である。
【図７】処理用筐体に設けた反射器によるアンテナの感度指向性（指向特性）についての説明図である。
【図８】本発明に係る携帯機器に使用できる受信装置においての受信回路の変形例の説明図である。
【符号の説明】
【００６８】
１０  表示部
１０ａ  表示部の表示面
１２  表示用筐体
１４  アンテナ
１６  処理用筐体
１８  受信装置
２０  受信特性変化手段
２２  ヒンジ
２４  入力操作部
２６  板状ベース体
２８  アンテナアレー
３０  手段
３２  軸部
３４  操作部
３８  フィルタ
４０  ミキサー
４２  復調器
４４  反射器
【図１】
2007208899.tif 000003
【図２】
2007208899.tif 000004
【図３】
2007208899.tif 000005
【図４】
2007208899.tif 000006
【図５】
2007208899.tif 000007
【図６】
2007208899.tif 000008
【図７】
2007208899.tif 000009
【図８】
2007208899.tif 000010